(57)【要約】【課題】収容されている紙種を適切に選択して印刷物を記録出力することができるデジタル画像印刷システムおよび印刷装置およびデジタル画像印刷システムの制御方法および印刷装置の制御方法および印刷装置のプログラムおよび記憶媒体を提供すること目的とする。【解決手段】用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録する。【選択図】        図１２
2006205549.tif 000002
【特許請求の範囲】
【請求項１】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、
前記外部機器は、印刷用紙の用紙サイズ、および、選択された１つ以上のデジタル画像データを前記印刷装置へ送信し、
前記印刷装置は、用紙を収容するトレイを複数有する給紙手段と、
使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたことを特徴とするデジタル画像印刷システム。
【請求項２】
前記実紙種には、少なくとも、普通紙、再生紙、および、特殊紙を含むことを特徴とする請求項１記載のデジタル画像印刷システム。
【請求項３】
前記特殊紙には、ＯＨＰ用紙、裏紙、色紙、厚紙が含まれることを特徴とする請求項１または請求項２記載のデジタル画像印刷システム。
【請求項４】
前記給紙手段には、前記受信した用紙サイズに一致する用紙については、前記紙種組合せテーブルに登録されていない紙種のみが収容されている場合、当該紙種の用紙を収納したトレイを選択することを特徴とする請求項１または請求項２または請求項３記載のデジタル画像印刷システム。
【請求項５】
前記給紙手段に、前記受信した用紙サイズに一致する用紙が収容されていない場合には、前記受信した１つ以上のデジタル画像データの印刷データを作成する処理を開始するとともに、用紙のセットを促すガイダンスメッセージを表示することを特徴とする請求項１または請求項２または請求項３または請求項４記載のデジタル画像印刷システム。
【請求項６】
前記用紙サイズは、カット紙の大きさ種類をあらわす情報であることを特徴とする請求項１または請求項２または請求項３または請求項４または請求項５記載のデジタル画像印刷システム。
【請求項７】
外部機器に接続してデータをやりとりする機能を備え、外部機器から受信した画像データを印刷する印刷装置において、
用紙を収容するトレイを複数有する給紙手段と、
使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、
前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたことを特徴とする印刷装置。
【請求項８】
前記実紙種には、少なくとも、普通紙、再生紙、および、特殊紙を含むことを特徴とする請求項７記載の印刷装置。
【請求項９】
前記特殊紙には、ＯＨＰ用紙、裏紙、色紙、厚紙が含まれることを特徴とする請求項７または請求項８記載のデジタル画像印刷システム。
【請求項１０】
前記給紙手段には、前記受信した用紙サイズに一致する用紙については、前記紙種組合せテーブルに登録されていない紙種のみが収容されている場合、当該紙種の用紙を収納したトレイを選択することを特徴とする請求項７または請求項８または請求項９記載の印刷装置。
【請求項１１】
前記給紙手段に、前記受信した用紙サイズに一致する用紙が収容されていない場合には、前記受信した１つ以上のデジタル画像データの印刷データを作成する処理を開始するとともに、用紙のセットを促すガイダンスメッセージを表示することを特徴とする請求項７または請求項８または請求項９または請求項１０記載の印刷装置。
【請求項１２】
前記用紙サイズは、カット紙の大きさ種類をあらわす情報であることを特徴とする請求項７または請求項８または請求項９または請求項１０または請求項１１記載のデジタル画像印刷システム。
【請求項１３】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの制御方法において、
前記外部機器は、印刷用紙の用紙サイズ、および、選択された１つ以上のデジタル画像データを前記印刷装置へ送信し、
前記印刷装置は、用紙を収容するトレイを複数有する給紙手段と、
使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたことを特徴とするデジタル画像印刷システムの制御方法。
【請求項１４】
外部機器に接続してデータをやりとりする機能を備え、外部機器から受信した画像データを印刷する印刷装置の制御方法において、
用紙を収容するトレイを複数有する給紙手段と、
使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、
前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたことを特徴とする印刷装置の制御方法。
【請求項１５】
外部機器に接続してデータをやりとりする機能を備え、外部機器から受信した画像データを印刷する印刷装置のプログラムにおいて、
前記印刷装置は、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、
前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたことを特徴とする印刷装置のプログラム。
【請求項１６】
外部機器に接続してデータをやりとりする機能を備え、外部機器から受信した画像データを印刷する印刷装置のプログラムを格納した記憶媒体において、
前記プログラムは、使用する用紙の紙種をあらわす参照紙種に選択の優先順位を割り当てた紙種優先順位テーブルおよび前記参照紙種と実紙種との関係を１つ以上記憶した紙種組合せテーブルを記憶するとともに、
前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、給紙手段から選択し、その選択したトレイから給紙した用紙に前記受信したデジタル画像データの画像を記録するステップを備えていることを特徴とする記憶媒体。
【発明の詳細な説明】
【技術分野】
【０００１】
本発明は、いわゆるデジタルプリントを実現するためのデジタル画像印刷システムおよび印刷装置およびデジタル画像印刷システムの制御方法および印刷装置の制御方法および印刷装置のプログラムおよび記憶媒体に関する。
【背景技術】
【０００２】
従来、撮影したデジタル画像を記憶媒体に記憶するとともに、外部装置へ接続し、その外部装置との間でデータをやりとりする機能を備えたデジタルスチルカメラでは、撮影したデジタル画像の画像を紙媒体へ印刷出力する際、一旦、パーソナルコンピュータ装置等の外部データ装置へ記憶媒体に記憶したデジタル画像を送り、この外部データ装置の編集印刷機能（アプリケーション）を利用して、印刷装置から印刷するようにしていた。
【０００３】
あるいは、デジタルスチルカメラの記憶媒体を取り外し、この記憶媒体に記憶しているデジタル画像をＤＰＥ店のサービス、あるいは、店頭のデジタルスチルカメラ用プリンタ装置で印刷していた。
【０００４】
このようにして、デジタルスチルカメラで撮影して得たデジタル画像を印刷する際、外部記憶装置等を必要とするため、手軽に行えないという事情があった。
【０００５】
そこで、デジタルスチルカメラに接続し、デジタルスチルカメラとの間でデータをやりとりする機能を備え、デジタルスチルカメラから受信した画像データを印刷することができるようにした印刷装置が実用されている。
【０００６】
このような印刷装置の機能は、いわゆるダイレクトプリント機能と称される。
【０００７】
さて、このようにして、ダイレクトプリント機能を備えた印刷装置を利用することで、デジタルスチルカメラで撮影して得たデジタル画像の画像を手軽に印刷することができるようになった。
【０００８】
しかしながら、ダイレクトプリント機能を利用する際のユーザ操作は、デジタルスチルカメラに設けられた表示部と、操作部を使って行うものであるため、外部データ装置を利用して印刷する際に比べて、例えば、レイアウト等の印刷の自由度が低く、比較的単純な印刷物しか得ることができなかった。
【０００９】
そこで、例えば、プリンタとデジタルスチルカメラとの接続時において、プリンタが有する機器の印刷情報を送信することで、異なるメーカ間での印刷ジョブの整合性を高めることができるようにしたものが提案されている（特許文献１参照）。
【特許文献１】特開２００４−６４７４０号公報
【発明の開示】
【発明が解決しようとする課題】
【００１０】
しかしながら、特許文献１に記載されたものでは、その情報として例えばプリンタの給紙トレイにセットされている紙種を送信しているが、その種類としては普通紙や写真用光沢紙など、ごく限られたもので、一般的なしかもいわゆるインクジェット機向けの紙種に偏ったものとなっている。
【００１１】
そのためレーザビームプリンタ装置や複合機などのように写真画質を主目的としたものではない種種の用紙を扱える印刷装置においては、このようなデジタルカメラとのダイレクトプリントにおいては、豊富な紙種の利便性を享受できない。
【００１２】
また、上述したようなダイレクトプリントシステムでは、紙種をデジタルスチルカメラから指定しないことで、また機器のデフォルトを指定することで、印刷装置で設定した紙種にて出力を行うということも可能ではあるが、このようなシステムでは印刷ごとにユーザに紙種の切り替えを強制することになり、使い勝手が悪くなる。
【００１３】
本発明は、かかる実情に鑑みてなされたものであり、デジタルプリントにおいて、収容されている紙種を適切に選択して印刷物を記録出力することができるデジタル画像印刷システムおよび印刷装置およびデジタル画像印刷システムの制御方法および印刷装置の制御方法および印刷装置のプログラムおよび記憶媒体を提供すること目的とする。
【課題を解決するための手段】
【００１４】
本発明は、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、前記外部機器は、印刷用紙の用紙サイズ、および、選択された１つ以上のデジタル画像データを前記印刷装置へ送信し、前記印刷装置は、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたものである。また、前記実紙種には、少なくとも、普通紙、再生紙、および、特殊紙を含む。また、前記特殊紙には、ＯＨＰ用紙、裏紙、色紙、厚紙が含まれる。また、前記給紙手段には、前記受信した用紙サイズに一致する用紙については、前記紙種組合せテーブルに登録されていない紙種のみが収容されている場合、当該紙種の用紙を収納したトレイを選択するようにしたものである。また、前記給紙手段に、前記受信した用紙サイズに一致する用紙が収容されていない場合には、前記受信した１つ以上のデジタル画像データの印刷データを作成する処理を開始するとともに、用紙のセットを促すガイダンスメッセージを表示するようにしたものである。また、前記用紙サイズは、カット紙の大きさ種類をあらわす情報である。
【００１５】
また、外部機器に接続してデータをやりとりする機能を備え、外部機器から受信した画像データを印刷する印刷装置において、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたものである。また、前記実紙種には、少なくとも、普通紙、再生紙、および、特殊紙を含む。また、前記特殊紙には、ＯＨＰ用紙、裏紙、色紙、厚紙が含まれる。また、前記給紙手段には、前記受信した用紙サイズに一致する用紙については、前記紙種組合せテーブルに登録されていない紙種のみが収容されている場合、当該紙種の用紙を収納したトレイを選択するようにしたものである。また、前記給紙手段に、前記受信した用紙サイズに一致する用紙が収容されていない場合には、前記受信した１つ以上のデジタル画像データの印刷データを作成する処理を開始するとともに、用紙のセットを促すガイダンスメッセージを表示するようにしたものである。また、前記用紙サイズは、カット紙の大きさ種類をあらわす情報である。
【００１６】
また、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの制御方法において、前記外部機器は、印刷用紙の用紙サイズ、および、選択された１つ以上のデジタル画像データを前記印刷装置へ送信し、前記印刷装置は、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたものである。
【００１７】
また、外部機器に接続してデータをやりとりする機能を備え、外部機器から受信した画像データを印刷する印刷装置の制御方法において、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたものである。
【００１８】
また、外部機器に接続してデータをやりとりする機能を備え、外部機器から受信した画像データを印刷する印刷装置のプログラムにおいて、前記印刷装置は、用紙を収容するトレイを複数有する給紙手段と、使用する用紙の紙種をあらわす参照紙種に選択の優先順位を割り当てた紙種優先順位テーブルおよび前記参照紙種と実紙種との関係を１つ以上記憶した紙種組合せテーブルを記憶した記憶手段を備え、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、前記給紙手段から選択し、その選択したトレイから給紙した用紙に前記受信したデジタル画像データの画像を記録するようにしたものである。
【００１９】
また、外部機器に接続してデータをやりとりする機能を備え、外部機器から受信した画像データを印刷する印刷装置のプログラムを格納した記憶媒体において、前記プログラムは、使用する用紙の紙種をあらわす参照紙種に選択の優先順位を割り当てた紙種優先順位テーブルおよび前記参照紙種と実紙種との関係を１つ以上記憶した紙種組合せテーブルを記憶するとともに、前記外部機器より用紙サイズ、および、１つ以上のデジタル画像データを受信すると、その受信した用紙サイズと同じ用紙を収容したトレイのうち、前記紙種優先順位テーブルおよび紙種組合せテーブルを参照して、優先順位の高い実紙種を収容したトレイを、給紙手段から選択し、その選択したトレイから給紙した用紙に前記受信したデジタル画像データの画像を記録するステップを備えているものである。
【発明の効果】
【００２０】
したがって、本発明によれば、デジタルプリントにおいて、給紙手段の状態と、紙種の優先順位に基づいた給紙手段の検索手段を有することで、紙種の指定がない印刷ジョブにおいても、任意の紙種からの給紙が可能となり利便性が高くなるという効果を得る。
【００２１】
また、トレイに適切な用紙が格納されていなくても、描画処理の継続を行うことができるため、描画処理を早く完了することができ、他のジョブを受けつけが可能であり、システムのスループットを向上できるという効果も得る。
【発明を実施するための最良の形態】
【００２２】
以下、添付図面を参照しながら、本発明の実施の形態を詳細に説明する。
【００２３】
図１（ａ）は、本発明の一実施例にかかるデジタルスチルカメラ印刷システムの一例を示している。この場合、印刷装置ＰＴＲの外部機器としてデジタルスチルカメラ装置ＤＳＣを接続している。
【００２４】
同図において、デジタルスチルカメラ装置ＤＳＣは、撮影して得たデジタル画像データをメモリ媒体（記憶媒体；後述）に保存するとともに、印刷装置ＰＴＲに接続し、所定の通信手順に従って、印刷用紙の用紙サイズ、画像の配置レイアウト、および、選択された１つ以上の画像データなどを印刷装置ＰＴＲに転送する機能を備えている。
【００２５】
印刷装置ＰＴＲは、デジタルスチルカメラ装置ＤＳＣより、用紙サイズ、画像の配置レイアウト、および、１つ以上の画像データを受信すると、用紙サイズおよび画像の配置レイアウトに従って、用紙を給紙するトレイを選択し、その選択したトレイから給紙した用紙に、受信した画像データの画像を印刷出力する。
【００２６】
ここで、デジタルスチルカメラ装置ＤＳＣは、印刷装置ＰＴＲ等の外部装置と接続してデータをやりとりするための外部通信ユニットを備えている。この外部通信ユニットとしては、ＵＳＢ（Ｕｎｉｖｅｒｓａｌ  Ｓｅｒｉａｌ  Ｂｕｓ）等の汎用通信ユニットを備えている。
【００２７】
また、同図（ｂ）に示すように、デジタルスチルカメラ装置ＤＳＣに代えて画像蓄積装置ＤＳＴを印刷装置ＰＴＲへ接続し、画像蓄積装置ＤＳＴに蓄積されている画像を、印刷装置ＰＴＲにより印刷出力するようにすることもできる。
【００２８】
また、そのために、画像蓄積装置ＤＳＴは、印刷装置ＰＴＲに接続し、所定の通信手順に従って、印刷用紙の用紙サイズ、画像の配置レイアウト、および、選択された１つ以上の画像データなどを印刷装置ＰＴＲに転送する機能を備えている。
【００２９】
図２は、デジタルスチルカメラ装置ＤＳＣの構成の一例を示している。
【００３０】
同図において、システム制御部１は、このデジタルスチルカメラ装置ＤＳＣの各部の動作制御、メモリ媒体ＭＣに対するデータの読出書込制御、撮影制御、外部通信ユニットを介して行う外部装置との間の通信制御、および、ユーザがこのデジタルスチルカメラ装置ＤＳＣを操作する際の種々のユーザ・インタフェース処理等の種々のデータ処理を行うためのものであり、システムメモリ２は、システム制御部１が実行する種々の制御プログラムを記憶するとともに、システム制御部１のワークエリアを構成するものであり、パラメータメモリ３は、このデジタルスチルカメラ装置ＤＳＣに固有な種々の情報を記憶するためのものであり、時計回路４は、現在時刻情報等を出力するためのものである。
【００３１】
メモリ媒体リーダライタ５は、メモリ媒体ＭＣを着脱するとともに、装着されているメモリ媒体ＭＣに対するデータの読出書込を行うためのものであり、撮影ユニット６は、カメラ撮影のためのカメラ機構、光学系および光電変換ユニットからなるものであり、表示部７は、ユーザに対して種々の情報を表示するものであり、例えば、液晶表示器からなる。また、操作部８は、ユーザがこのデジタルスチルカメラ装置ＤＳＣを操作するためのものであり、種々のキー等から構成される。
【００３２】
外部通信ユニット９は、ＵＳＢ（Ｕｎｉｖｅｒｓａｌ  Ｓｅｒｉａｌ  Ｂｕｓ）等の汎用通信ユニットからなり、印刷装置ＰＴＲや画像蓄積装置ＤＳＴ等の外部装置に接続し、これらの外部装置との間でデータのやりとりを行うためのものである。
【００３３】
これらのシステム制御部１、システムメモリ２、パラメータメモリ３、時計回路４、メモリ媒体リーダライタ５、撮影ユニット６、表示部７、操作部８、および、外部通信ユニット９は、内部バス１０に接続され、これらの各部のデータのやりとりは、主としてこの内部バス１０を介して行われる。
【００３４】
図３は、印刷装置ＰＴＲの構成例を示している。この印刷装置ＰＴＲは、用紙を収容したトレイを複数備えた多段給紙ユニットを備えている。
【００３５】
同図において、システム制御部２１は、この印刷装置ＰＴＲの各部の動作制御、給紙制御、印刷制御、外部通信ユニットを介して行う外部装置との間の通信制御、および、ユーザがこの印刷装置ＰＴＲを操作する際の種々のユーザ・インタフェース処理等の種々のデータ処理を行うためのものであり、システムメモリ２２は、システム制御部２１が実行する種々の制御プログラムを記憶するとともに、システム制御部２１のワークエリアを構成するものであり、パラメータメモリ２３は、この印刷装置ＰＴＲに固有な種々の情報を記憶するためのものであり、時計回路２４は、現在時刻情報等を出力するためのものであり、操作表示部２５は、ユーザがこの印刷装置ＰＴＲを操作するためのユーザ・インタフェースを構成するものである。
【００３６】
ページバッファメモリ２６は、１ページ分の印刷データを保存するフレームメモリを構成するためのものであり、プリントユニット２７は、ページバッファメモリ２６に構成されたフレームメモリから印刷データを読み出して、用紙に画像を印刷するためのものである。また、プリントユニット２７には、用紙を収容したトレイを複数備えた多段給紙ユニット２８が付設されており、これにより、複数種類の用紙から適宜なものを選択して、プリントユニット２７が使用する記録用紙として適用することができる。ここで、トレイに収容される用紙としては、Ａ４普通紙、Ａ４再生紙、Ａ４特殊紙、Ｂ５普通紙、Ｂ５再生紙、Ｂ５特殊紙、Ａ３普通紙、Ａ３再生紙、Ａ３特殊紙などがある。
【００３７】
外部通信ユニット２９は、ＵＳＢ（Ｕｎｉｖｅｒｓａｌ  Ｓｅｒｉａｌ  Ｂｕｓ）等の汎用通信ユニットからなり、デジタルスチルカメラ装置ＤＳＣや画像蓄積装置ＤＳＴ等の外部装置に接続し、これらの外部装置との間でデータのやりとりを行うためのものである。
【００３８】
これらのシステム制御部２１、システムメモリ２２、パラメータメモリ２３、時計回路２４、操作表示部２５、ページバッファメモリ２６、プリントユニット２７、多段給紙ユニット２８、および、外部通信ユニット２９は、内部バス３０に接続され、これらの各部のデータのやりとりは、主としてこの内部バス３０を介して行われる。
【００３９】
図４は、画像蓄積装置ＤＳＴの構成例を示している。この画像蓄積装置ＤＳＴは、メモリ媒体に記憶されている画像データを多数取り込んで蓄積するとともに、蓄積している画像データを表示したり、外部装置へ転送する等の機能を備えたものである。
【００４０】
同図において、ＣＰＵ（中央処理装置）３１は、この画像蓄積装置ＤＳＴの動作制御を行うものであり、ＲＯＭ（リード・オンリ・メモリ）３２は、ＣＰＵ３１が起動時に実行するプログラムや必要なデータ等を記憶するためのものであり、ＲＡＭ（ランダム・アクセス・メモリ）３３は、ＣＰＵ２１のワークエリア等を構成するためのものである。
【００４１】
キャラクタジェネレータ３４は、図形文字の表示データを発生するためのものであり、時計回路３５は、現在日時情報を出力するためのものであり、外部通信ユニット３６は、ＵＳＢ（Ｕｎｉｖｅｒｓａｌ  Ｓｅｒｉａｌ  Ｂｕｓ）等の汎用通信ユニットからなり、この画像蓄積装置ＤＳＴを印刷装置ＰＴＲ等の外部装置へ接続するためのものである。
【００４２】
磁気ディスク装置３７は、多数の画像データなどの種々のデータを記憶するためのものであり、表示部３８は、ユーザに対して種々の情報を表示するものであり、例えば、液晶表示器からなる。また、操作部３９は、ユーザがこの画像蓄積装置ＤＳＴを操作するためのものであり、種々のキー等から構成される。また、メモリ媒体リーダライタ５は、メモリ媒体ＭＣを着脱するとともに、装着されているメモリ媒体ＭＣに対するデータの読出書込を行うためのものである。
【００４３】
これらのＣＰＵ３１、ＲＯＭ３２、ＲＡＭ３３、キャラクタジェネレータ３４、時計回路３５、外部通信ユニット３６、表示部３８、操作部３９、および、メモリ媒体リーダライタ４０は、内部バス４１に接続されており、これらの各要素間のデータのやりとりは、主としてこの内部バス４１を介して行われる。
【００４４】
なお、移動体通信端末装置（いわゆる「携帯電話」等）には、デジタルスチルカメラ装置ＤＳＣまたは画像蓄積装置ＤＳＴの機能を備えたものも実用されており、そのような移動体通信端末装置を、上述したデジタルスチルカメラ装置ＤＳＣまたは画像蓄積装置ＤＳＴに代えて用いることもできる。また、デジタルスチルカメラ機能を有するデジタルビデオカメラ装置を用いることもできる。
【００４５】
図５は、デジタルスチルカメラ装置ＤＳＣまたは画像蓄積装置ＤＳＴが、印刷装置ＰＴＲに対して画像印刷を指令する際の通信手順の一例を示している。
【００４６】
まず、ユーザは、デジタルスチルカメラ装置ＤＳＣまたは画像蓄積装置ＤＳＴと印刷装置ＰＴＲとをＵＳＢケーブルで接続し、デジタルスチルカメラ装置ＤＳＣまたは画像蓄積装置ＤＳＴに対して、画像の印刷を指示する。
【００４７】
これにより、デジタルスチルカメラ装置ＤＳＣまたは画像蓄積装置ＤＳＴは、コマンド「プリントサービス要求」を印刷装置ＰＴＲへ送信し、続いて、コマンド「能力要求」を印刷装置ＰＴＲへ送信する。
【００４８】
印刷装置ＰＴＲは、コマンド「能力要求」を受信すると、自端末で印刷時に指定可能な能力情報を、レスポンス「能力通知」に含めて送信する。
【００４９】
ここで、能力情報としては、出力品質（高速／普通／高画質；など）、紙種（普通紙、再生紙、特殊紙（ＯＨＰ用紙、裏紙、色紙など）など）、用紙サイズ（カット紙（定型）の大きさ種類をあらわす情報；例えば、Ａ３，Ａ４，Ｂ４，Ｂ５など）、受付可能な画像フォーマット、日付出力、集約数（用紙サイズに対するレイアウト情報）などがある。なお、「集約数」とは、１つの用紙に複数の画像を配置する態様の配置レイアウトである集約レイアウトを選択する際、指定できる１枚あたりのコマ数（画像数）をあらわす。
【００５０】
これにより、デジタルスチルカメラ装置ＤＳＣまたは画像蓄積装置ＤＳＴでは、印刷装置ＰＴＲより通知された能力情報に従って、ユーザに印刷条件（出力品質、用紙サイズ、紙種、日付出力の有無、集約数、インデックス印刷など）を入力させるとともに、印刷する画像を選択操作させる。
【００５１】
ユーザの操作が終了すると、デジタルスチルカメラ装置ＤＳＣまたは画像蓄積装置ＤＳＴは、印刷装置ＰＴＲに対して、図６（ａ）に示すような印刷ジョブ情報を含むコマンド「ジョブ開始指示」を送信する。ここで、印刷ジョブ情報には、用紙サイズ、紙種、印刷命令（印刷レイアウト（１用紙１コマ、１用紙複数コマなど）指示、インデックス印刷など）、印刷画像数（ｋ）、および、印刷画像データＩＤ（ｋ個）が含まれる。また、印刷ジョブ情報には、紙種を指定する情報が含まれない場合がある。また、紙種として、デフォルト値が指定される場合もある。
【００５２】
次に、印刷装置ＰＴＲは、受信した印刷ジョブ情報に含まれる１つ以上の印刷画像データＩＤを順次指定して、１つ以上のレスポンス「ファイル取得要求」をデジタルスチルカメラ装置ＤＳＣまたは画像蓄積装置ＤＳＴへ送信する。
【００５３】
それにより、デジタルスチルカメラ装置ＤＳＣまたは画像蓄積装置ＤＳＴは、指定された印刷画像データＩＤの画像データを１つずつ印刷装置ＰＴＲへ送信する。
【００５４】
印刷装置ＰＴＲは、受信した印刷ジョブ情報に含まれる用紙サイズに従って印刷に使用する用紙を選択するとともに、受信した画像データに基づいて、印刷データを形成し、必要に応じて適宜に印刷動作を行う。ここで、受信した画像データは、いずれかの画像フォーマットでデコードされているので、それをエンコードして、例えば、ＲＧＢ形式の画像データを作成し、そのＲＧＢ形式の画像データを印刷データへ変換する。このとき、画像データの大きさ（解像度と画素数）と、印刷する用紙または印刷領域の大きさとの関係で、適宜に印刷する画像を変倍処理する。
【００５５】
そして、全ての印刷動作を終了すると、その結果をレスポンス「処理結果通知」としてデジタルスチルカメラ装置ＤＳＣまたは画像蓄積装置ＤＳＴへ送信する。
【００５６】
デジタルスチルカメラ装置ＤＳＣまたは画像蓄積装置ＤＳＴは、印刷装置ＰＴＲよりレスポンス「処理結果通知」を受信すると、印刷ジョブを終了する。
【００５７】
なお、上述した通信プロトコルでは、印刷ジョブ情報に印刷画像数が含まれているが、印刷装置ＰＴＲで印刷ジョブ情報の印刷画像データＩＤの個数を計数することで印刷画像数を得ることができるので、印刷ジョブ情報に印刷画像数を含まないようにすることもできる。
【００５８】
さて、本実施例では、使用する用紙として３種類の紙種Ａ，Ｂ，Ｃを適用するとともに、紙種の選択の優先順位を定めた紙種優先順位テーブルを登録している。この紙種優先順位テーブルの一例を図７に示す。
【００５９】
また、図８に示すような紙種組合せテーブルを備え、紙種Ａ，Ｂ，Ｃ（以下、「参照紙種」という）に、実際の紙の種類（以下、「実紙種」という）をどのように割り当てるかを、ユーザが任意に割り当てできるようにしている。ここで、実紙種としては、普通紙、再生紙、特殊紙（例えば、ＯＨＰ用紙、裏紙、色紙、厚紙など）を適用することができる。
【００６０】
また、多段給紙ユニット２８の各トレイに収容した用紙について、実紙種の設定登録は、ユーザが操作表示部２５を用いて適宜に操作することができる。
【００６１】
なお、実紙種は、上述した普通紙、再生紙、特殊紙に限ることはなく、必要に応じて使用設定することができる。
【００６２】
図９は、デジタルスチルカメラ装置ＤＳＣ（または画像蓄積装置ＤＳＴ）が、印刷装置ＰＴＲと通信して印刷を希望する画像データを転送する場合の処理の一例を示している。
【００６３】
まず、ユーザは、デジタルスチルカメラ装置ＤＳＣと印刷装置ＰＴＲとをＵＳＢケーブルで接続し、デジタルスチルカメラ装置ＤＳＣに対して、画像の印刷を指示する。
【００６４】
これにより、デジタルスチルカメラ装置ＤＳＣは、コマンド「プリントサービス要求」を印刷装置ＰＴＲへ送信し（処理１０１）、続いて、コマンド「能力要求」を印刷装置ＰＴＲへ送信する（処理１０２）。
【００６５】
印刷装置ＰＴＲからは、レスポンス「能力通知」が送られてくるので、これを受信し（処理１０３）、受信したレスポンス「能力通知」に含まれる能力情報に従って、ユーザに印刷条件（出力品質、用紙サイズ、紙種、日付出力の有無、集約数など）を入力させるとともに、印刷する画像を選択操作させる（処理１０４）。
【００６６】
ユーザの操作が終了すると（判断１０５の結果がＹＥＳ）、デジタルスチルカメラ装置ＤＳＣは、印刷装置ＰＴＲに対して、上述したような（図６（ａ）参照）印刷ジョブ情報を含むコマンド「ジョブ開始指示」を送信する（処理１０６）。なお、処理１０４において紙種が明示的に指定されなかった場合には、印刷ジョブ情報には紙種は含まれない。また、紙種の選択肢に「デフォルト値」が存在する場合、ユーザがデフォルト値を選択すると、紙種としてデフォルト値をあらわす情報が含まれる。
【００６７】
これ以降は、印刷装置ＰＴＲからレスポンス「ファイル取得要求」を受信するか、あるいは、レスポンス「処理結果通知」を受信することを待機する（判断１０７，１０８のＮＯループ）。
【００６８】
レスポンス「ファイル取得要求」を受信して、判断１０７の結果がＹＥＳになるときには、指定された印刷画像データＩＤの画像データを読み出して、印刷装置ＰＴＲへ送信する（処理１０９）。
【００６９】
また、レスポンス「処理結果通知」を受信して、判断１０８の結果がＹＥＳになるときには、印刷結果を表示出力して（処理１１０）、このときの動作を終了する。
【００７０】
図１０〜１１は、デジタルスチルカメラ装置ＤＳＣまたは画像蓄積装置ＤＳＴからプリントサービス要求を受信した場合の印刷装置ＰＴＲの処理の一例を示している。
【００７１】
ＵＳＢケーブルの接続を検出すると（判断２０１の結果がＹＥＳ）、相手端末よりコマンド「プリントサービス要求」を受信する（処理２０２）。次いで、コマンド「能力要求」を受信すると（処理２０３）、上述したような能力情報を含むレスポンス「能力通知」を送信する（処理２０４）。
【００７２】
次に、コマンド「ジョブ開始指示」を受信すると（処理２０５）、その内容を解析して（処理２０６）、多段給紙ユニット２８から印刷に使用する用紙を格納しているトレイを検索し、当該トレイを使用するトレイとして設定する（処理２０７；トレイ検索処理）。
【００７３】
このトレイ検索処理（処理２０７）で使用するトレイの検索に失敗したかどうかを調べ（判断２０８）、判断２０８の結果がＹＥＳになるときには、ユーザに、相手端末から指定された用紙サイズの用紙を多段給紙ユニット２８にセットするように要求する用紙セット要求処理を開始し（処理２０９）、それ以降の処理を実行する。また、トレイ検索処理（処理２０７）で使用するトレイを発見できた場合で、判断２０８の結果がＮＯになるときには、処理２０９を実行せず、それ以降の処理を実行する。
【００７４】
すなわち、そのときに選択された多段給紙ユニット２８のトレイに収容されている用紙の用紙方向に対応したページレイアウト（「縦長」または「横長」）を設定し、そのページレイアウトのフレームメモリをページバッファメモリ２６に確保し（処理２１５）、そのときに選択されたトレイを、多段給紙ユニット２８における使用するトレイとして設定する（処理２１６）。
【００７５】
このようにして、トレイの設定が終了すると、印刷画像枚数を保持するためのカウンタｉを１に初期設定し（処理２１７）、ｉ番目の印刷画像データＩＤ（ｉ）を指定したレスポンス「ファイル取得要求」を相手端末へ送信する（処理２１８）。
【００７６】
次いで、相手端末がｉ番目の画像データ（ｉ）を送信するので、これを受信して一時保存し（処理２１９）、一時保存した画像データに対応した印刷データを、バッファメモリ２６に確保したフレームメモリに書き込む（画像描画処理；処理２２０）。
【００７７】
ここで、１ページ分の集約数（１または２以上）の画像の印刷データがフレームメモリに書き込まれたかどうかを判断する（判断２２１）。判断２２１の結果がＮＯになるときには、カウンタｉの値が画像数ｋに等しいかどうかを調べる（判断２２１）。
【００７８】
判断２２１の結果がＮＯになるときには、処理中のページの残りの画像領域に印刷データを格納するために、カウンタｉの値を１つ増やして（処理２２３）、処理２１８へ戻る。また、判断２２２の結果がＹＥＳになるときには、そのときに選択されたトレイに用紙がセットされていることを確認して、プリントユニット２７に印刷動作を行わせる（処理２２４）。これにより、印刷装置ＰＴＲからは、１ページ分の印刷物が形成されて記録出力される。
【００７９】
次いで、このときには、全ての画像データの印刷が終了したので、そのときの印刷結果をあらわす情報を作成し、レスポンス「処理結果通知」に含めて、相手端末へ送信する（処理２２５）。
【００８０】
また、判断２２１の結果がＹＥＳになるときには、そのときに選択されたトレイに用紙がセットされていることを確認して、プリントユニット２７に印刷動作を行わせる（処理２２６）。これにより、印刷装置ＰＴＲからは、１ページ分の印刷物が形成されて記録出力される。
【００８１】
次に、カウンタｉの値が画像数ｋに等しいかどうかを調べる（判断２２７）。判断２２７の結果がＮＯになるときには、次のページの印刷動作を行うために、処理２２３へ進み、カウンタｉの値を１つ増やしてそれ以降の処理を行う。
【００８２】
また、判断２２７の結果がＹＥＳになるときには、処理２２５へ進み、そのときの印刷結果をあらわす情報を作成し、レスポンス「処理結果通知」に含めて、相手端末へ送信する。
【００８３】
トレイ検索処理の一例を図１２に示す。
【００８４】
まず、印刷ジョブ情報に紙種をあらわす情報が含まれていたかどうかを調べ（判断３０１）、判断３０１の結果がＹＥＳになるときには、相手端末から通知された用紙サイズと同一で、かつ、指定された紙種の用紙を収容したトレイが、多段給紙ユニット２８にあるかどうかを調べる（処理３０２、判断３０３）。
【００８５】
判断３０３の結果がＹＥＳになるときには、そのときに確認されたトレイを検索したトレイとして通知する（処理３０４）。また、判断３０３の結果がＮＯになるときには、用紙なしを通知する（処理３０５）。
【００８６】
一方、印刷ジョブ情報に紙種をあらわす情報が含まれていない場合で、判断３１１の結果がＮＯになるときには、紙種組合せテーブルから紙種Ａ，Ｂ，Ｃに対応した実紙種を取り出して、それぞれの紙種Ａ，Ｂ，Ｃに設定する（処理３１１）。
【００８７】
そして、相手端末から通知された用紙サイズとサイズが同一で、かつ、紙種Ａのトレイがあるかどうかを調べる（判断３１２）。判断３１２の結果がＮＯになるときには、相手端末から通知された用紙サイズとサイズが同一で、かつ、紙種Ｂのトレイがあるかどうかを調べる（判断３１３）。判断３１３の結果がＮＯになるときには、相手端末から通知された用紙サイズとサイズが同一で、かつ、紙種Ｃのトレイがあるかどうかを調べる（判断３１４）。判断３１４の結果がＮＯになるときには、相手端末から通知された用紙サイズとサイズが同一のトレイがあるかどうかを調べる（判断３１５）。
【００８８】
判断３１２，３１３，３１４，３１５のいずれかの結果がＹＥＳになるときには、それぞれの判断３１２，３１３，３１４，３１５により確認されたトレイを検索したトレイとして通知する（処理３１６）。
【００８９】
また、判断３１５の結果がＮＯになるときには、用紙なしを通知する（処理３１７）。
【００９０】
このようにして、本実施例では、給紙トレイの検索処理によって、ユーザは種々の紙種が格納された印刷装置において、パネル等にて紙種のデフォルト値を変更しなくても、またデジタルスチルカメラから直接指定できないような紙種に対しても、紙種の優先順位を意識することで意図的にその紙種での出力を可能とすることができる。
【００９１】
また、このような処理で給紙動作を行う給紙トレイの決定を行うことで、実際に紙に出力を行う描画エンジン部においても紙種に応じた適切な出力パラメータを使用できるため、紙種指定は普通紙なのに強制的に厚紙に出力する場合などで起きえる印字品質の低下や用紙詰まりを未然に防ぐことができる。
【００９２】
また、トレイに適切な用紙が格納されていなくても、描画処理の継続を行うことができるため、描画処理を早く完了することができ、他のジョブを受けつけが可能であり、高い出力スループットを実現できる。
【００９３】
また、紙種の優先順位を任意に定めることができるため、ユーザの好みによった優先順位を用いて給紙トレイの検索処理が可能となり、ユーザは面倒な操作を必要とせずに簡便に任意の紙種への出力が可能となる。
【００９４】
なお、上述した実施例では、印刷装置に接続する画像データを供給する外部機器として、デジタルスチルカメラ装置や画像蓄積装置を適用しているが、これらの装置と同等の機能を有する他の装置をも、外部機器として適用することができる。
【図面の簡単な説明】
【００９５】
【図１】本発明の一実施例にかかるデジタルスチルカメラ印刷システムの一例を示したブロック図。
【図２】デジタルスチルカメラ装置ＤＳＣの構成の一例を示したブロック図。
【図３】印刷装置ＰＴＲの構成例を示したブロック図。
【図４】画像蓄積装置ＤＳＴの構成例を示したブロック図。
【図５】デジタルスチルカメラ装置ＤＳＣまたは画像蓄積装置ＤＳＴが、印刷装置ＰＴＲに対して画像印刷を指令する際の通信手順の一例を示したタイムチャート。
【図６】印刷ジョブ情報、および、画像データのフォーマットの一例を示した概略図。
【図７】紙種優先順位テーブルの一例を示した概略図。
【図８】紙種組合せテーブルの一例を示した概略図。
【図９】デジタルスチルカメラ装置ＤＳＣ（または画像蓄積装置ＤＳＴ）が、印刷装置ＰＴＲと通信して印刷を希望する画像データを転送する場合の処理の一例を示したフローチャート。
【図１０】デジタルスチルカメラ装置ＤＳＣまたは画像蓄積装置ＤＳＴからプリントサービス要求を受信した場合の印刷装置ＰＴＲの処理の一例を示したフローチャート（続く）。
【図１１】デジタルスチルカメラ装置ＤＳＣまたは画像蓄積装置ＤＳＴからプリントサービス要求を受信した場合の印刷装置ＰＴＲの処理の一例を示したフローチャート（図１１の続き）。
【図１２】トレイ検索処理の一例を示したフローチャート（続く）。
【図１３】トレイ検索処理の一例を示したフローチャート（図１２の続き）。
【符号の説明】
【００９６】
ＤＳＣ  デジタルスチルカメラ装置
ＤＳＴ  画像蓄積装置
ＰＴＲ  印刷装置
２１  システム制御部
２７  プリントユニット
【図１】
2006205549.tif 000003
【図２】
2006205549.tif 000004
【図３】
2006205549.tif 000005
【図４】
2006205549.tif 000006
【図５】
2006205549.tif 000007
【図６】
2006205549.tif 000008
【図７】
2006205549.tif 000009
【図８】
2006205549.tif 000010
【図９】
2006205549.tif 000011
【図１０】
2006205549.tif 000012
【図１１】
2006205549.tif 000013
【図１２】
2006205549.tif 000014
【図１３】
2006205549.tif 000015